(57)【要約】  本発明は、ＣＡを行っている移動局ＵＥが、無線基地局ｅＮＢに対して、搬送波周波数が異なる複数の「Ｃｏｍｐｏｎｅｎｔ  Ｃａｒｒｉｅｒ」を用いて上りデータ信号を送信するように構成されている移動通信システムであって、複数の「Ｃｏｍｐｏｎｅｎｔ  Ｃａｒｒｉｅｒ」に対応するＴＡタイマを管理するように構成されているＴＡタイマ管理部１３/２３と、複数の「Ｃｏｍｐｏｎｅｎｔ  Ｃａｒｒｉｅｒ」の状態を管理するように構成されている状態管理部１４/２４とを具備し、状態管理部１４/２４は、ＴＡタイマが満了した「Ｃｏｍｐｏｎｅｎｔ  Ｃａｒｒｉｅｒ」の状態を非同期状態とするように構成されている。
2011083865.tif 000002
【特許請求の範囲】
【請求項１】
移動局が、無線基地局に対して、搬送波周波数が異なる複数のキャリアを用いて上り信号を送信するように構成されている移動通信システムであって、
前記複数のキャリアに対応するタイマを管理するように構成されているタイマ管理部と、
前記複数のキャリアの状態を管理するように構成されている状態管理部とを具備し、
前記状態管理部は、前記タイマが満了したキャリアの状態を非同期状態とするように構成されていることを特徴とする移動通信システム。
【請求項２】
前記移動局は、前記複数のキャリアに非同期状態のキャリアが含まれている場合であっても、該複数のキャリアに含まれる同期状態のキャリアを用いて上り信号を送信することができるように構成されていることを特徴とする請求項１に記載の移動通信システム。
【請求項３】
前記移動局は、前記無線基地局から受信したスケジューリング信号又は同期要求信号によって指定されたキャリアが非同期状態である場合、該キャリアにおいてランダムアクセス信号を送信するように構成されていることを特徴とする請求項１に記載の移動通信システム。
【請求項４】
前記移動局は、前記無線基地局から所定信号を受信した場合、非同期状態である全てのキャリアにおいてランダムアクセス信号を送信するように構成されていることを特徴とする請求項１に記載の移動通信システム。
【請求項５】
移動局から、搬送波周波数が異なる複数のキャリアを用いて上り信号を受信するように構成されている無線基地局であって、
前記複数のキャリアに対応するタイマを管理するように構成されているタイマ管理部と、
前記複数のキャリアの状態を管理するように構成されている状態管理部とを具備し、
前記状態管理部は、前記タイマが満了したキャリアの状態を非同期状態とするように構成されていることを特徴とする無線基地局。
【請求項６】
無線基地局に対して、搬送波周波数が異なる複数のキャリアを用いて上り信号を送信するように構成されている移動局であって、
前記複数のキャリアに対応するタイマを管理するように構成されているタイマ管理部と、
前記複数のキャリアの状態を管理するように構成されている状態管理部とを具備し、
前記状態管理部は、前記タイマが満了したキャリアの状態を非同期状態とするように構成されていることを特徴とする移動局。
【請求項７】
前記複数のキャリアに非同期状態のキャリアが含まれている場合であっても、該複数のキャリアに含まれる同期状態のキャリアを用いて上り信号を送信することができるように構成されている送信部を具備することを特徴とする請求項６に記載の移動局。
【請求項８】
前記無線基地局から受信したスケジューリング信号又は同期要求信号によって指定されたキャリアが非同期状態である場合、該キャリアにおいてランダムアクセス信号を送信するように構成されている送信部を具備することを特徴とする請求項６に記載の移動局。
【請求項９】
前記無線基地局から所定信号が受信された場合、非同期状態である全てのキャリアにおいてランダムアクセス信号を送信するように構成されている送信部を具備することを特徴とする請求項６に記載の移動局。
【発明の詳細な説明】
【技術分野】
【０００１】
本発明は、移動通信システム、無線基地局及び移動局に関する。
【背景技術】
【０００２】
３ＧＰＰで使用化が進められているＬＴＥ（Ｌｏｎｇ  Ｔｅｒｍ  Ｅｖｏｌｕｔｉｏｎ）-Ａｄｖａｎｃｅｄ方式では、「ＣＡ（Ｃａｒｒｉｅｒ  Ａｇｇｒｅｇａｔｉｏｎ）」についての検討が進められている。【０００３】
移動局ＵＥは、ＣＡを行っている場合には、無線基地局ｅＮＢに対して、異なる周波数帯域の複数の「Ｃｏｍｐｏｎｅｎｔ  Ｃａｒｒｉｅｒ（ＣＣ）」を用いて上り信号を送信するように構成されている。
【先行技術文献】
【非特許文献】
【０００４】
【非特許文献１】３ＧＰＰ  ＴＲ３６.８１４  ｖ１.５.０
【非特許文献２】３ＧＰＰ  ＴＳ３６.３２１  ｖ９.１.０
【発明の概要】
【発明が解決しようとする課題】
【０００５】
しかしながら、移動局ＵＥが、図１に示すように、カバレッジが異なるセル（例えば、セル＃１及びセル＃１１）における「Ｃｏｍｐｏｎｅｎｔ  Ｃａｒｒｉｅｒ（例えば、ＣＣ＃１及びＣＣ＃１１）」を用いたＣＡを行う場合や、図２に示すように、リピータが用いられていないセル＃１における「Ｃｏｍｐｏｎｅｎｔ  Ｃａｒｒｉｅｒ（例えば、ＣＣ＃１）及びリピータ＃２が用いられているセル＃２における「Ｃｏｍｐｏｎｅｎｔ  Ｃａｒｒｉｅｒ（例えば、ＣＣ＃２）」を用いたＣＡを行う場合には、無線基地局ｅＮＢにおける上り信号の受信タイミングが、「Ｃｏｍｐｏｎｅｎｔ  Ｃａｒｒｉｅｒ」毎に大幅にずれてしまう場合があるという問題点があった。【０００６】
そこで、本発明は、上述の課題に鑑みてなされたものであり、ＣＡが行われている場合であっても、無線基地局ｅＮＢにおける上り信号の受信タイミングを一定範囲内に収めることができる移動通信システム、無線基地局及び移動局を提供することを目的とする。
【課題を解決するための手段】
【０００７】
本発明の第１の特徴は、移動局が、無線基地局に対して、搬送波周波数が異なる複数のキャリアを用いて上り信号を送信するように構成されている移動通信システムであって、前記複数のキャリアに対応するタイマを管理するように構成されているタイマ管理部と、前記複数のキャリアの状態を管理するように構成されている状態管理部とを具備し、前記状態管理部は、前記タイマが満了したキャリアの状態を非同期状態とするように構成されていることを要旨とする。【０００８】
本発明の第２の特徴は、移動局から、搬送波周波数が異なる複数のキャリアを用いて上り信号を受信するように構成されている無線基地局であって、前記複数のキャリアに対応するタイマを管理するように構成されているタイマ管理部と、前記複数のキャリアの状態を管理するように構成されている状態管理部とを具備し、前記状態管理部は、前記タイマが満了したキャリアの状態を非同期状態とするように構成されていることを要旨とする。【０００９】
本発明の第３の特徴は、無線基地局に対して、搬送波周波数が異なる複数のキャリアを用いて上り信号を送信するように構成されている移動局であって、前記複数のキャリアに対応するタイマを管理するように構成されているタイマ管理部と、前記複数のキャリアの状態を管理するように構成されている状態管理部とを具備し、前記状態管理部は、前記タイマが満了したキャリアの状態を非同期状態とするように構成されていることを要旨とする。
【発明の効果】
【００１０】
以上説明したように、本発明によれば、ＣＡが行われている場合であっても、無線基地局ｅＮＢにおける上り信号の受信タイミングを一定範囲内に収めることができる移動通信システム、無線基地局及び移動局を提供することができる。
【図面の簡単な説明】
【００１１】
【図１】本発明の第１の実施形態に係る移動通信システムの全体構成図である。
【図２】本発明の第１の実施形態に係る移動通信システムの全体構成図である。
【図３】本発明の第１の実施形態に係る無線基地局の機能ブロック図である。
【図４】本発明の第１の実施形態に係る移動局の機能ブロック図である。
【発明を実施するための形態】
【００１２】
（本発明の第１の実施形態に係る移動通信システム）
図１乃至図４を参照して、本発明の第１の実施形態に係る移動通信システムの構成について説明する。
【００１３】
本実施形態に係る移動通信システムは、ＬＴＥ-Ａｄｖａｎｃｅｄ方式の移動通信システムであって、移動局ＵＥによるＣＡを可能とするように構成されている。
【００１４】
例えば、本実施形態に係る移動通信システムは、図１に示すような構成であってもよいし、図２に示すような構成であってもよいし、その他の構成であってもよい。
【００１５】
図１に示す構成では、無線基地局ｅＮＢ配下に、マクロセルとして、セル＃１やセル＃２やセル＃３等が設けられており、張り出しセルとして、セル＃１１やセル＃１２やセル＃２１やセル＃３１やセル＃３２等が設けられている。
【００１６】
ここで、セル＃１１及びセル＃１２は、セル＃１のカバレッジ内に設けられており、セル＃２１は、セル＃２のカバレッジ内に設けられており、セル＃３１及びセル＃３２は、セル＃３のカバレッジ内に設けられている。
【００１７】
また、セル＃１では、ＣＣ（Ｃｏｍｐｏｎｅｎｔ  Ｃａｒｒｉｅｒ）＃１が用いられており、セル＃２では、ＣＣ＃２が用いられており、セル＃３では、ＣＣ＃３が用いられており、セル＃１１では、ＣＣ＃１１が用いられており、セル＃１２では、ＣＣ＃１２が用いられており、セル＃２１では、ＣＣ＃２１が用いられており、セル＃３１では、ＣＣ＃３１が用いられており、セル＃３２では、ＣＣ＃３２が用いられている。
【００１８】
例えば、ＣＣ＃１やＣＣ＃２やＣＣ＃３は、２ＧＨｚ帯内の搬送波周波数を持つ「Ｃｏｍｐｏｎｅｎｔ  Ｃａｒｒｉｅｒ」であり、ＣＣ＃１１やＣＣ＃１２やＣＣ＃２１やＣＣ＃３１やＣＣ＃３２は、３.５ＧＨｚ帯内の搬送波周波数を持つ「Ｃｏｍｐｏｎｅｎｔ  Ｃａｒｒｉｅｒ」であってもよい。
【００１９】
例えば、「Ｃｏｍｐｏｎｅｎｔ  Ｃａｒｒｉｅｒ」の帯域幅は、６ＲＢ（Ｒｅｓｏｕｒｃｅ  Ｂｌｏｃｋ）、１５ＲＢ、２５ＲＢ、５０ＲＢ、７５ＲＢ又は１００ＲＢのいずれかであってもよい。なお、１ＲＢは、１８０ｋＨｚである。
【００２０】
また、図２に示すよう構成では、無線基地局ｅＮＢ配下に、マクロセルとして、セル＃１やセル＃２等が設けられている。セル＃１では、ＣＣ＃１が用いられており、セル＃２では、ＣＣ＃２が用いられている。
【００２１】
例えば、ＣＣ＃１及びＣＣ＃２は、共に、２ＧＨｚ帯（又は３.５ＧＨｚ帯）内の搬送波周波数を持つ「Ｃｏｍｐｏｎｅｎｔ  Ｃａｒｒｉｅｒ」であってもよい。或いは、ＣＣ＃１は、２ＧＨｚ帯（又は、３.５ＧＨｚ帯）内の搬送波周波数を持つ「Ｃｏｍｐｏｎｅｎｔ  Ｃａｒｒｉｅｒ」であり、ＣＣ＃２は、３.５ＧＨｚ帯（又は、２ＧＨｚ帯）内の搬送波周波数を持つ「Ｃｏｍｐｏｎｅｎｔ  Ｃａｒｒｉｅｒ」であってもよい。
【００２２】
ここで、セル＃１には、リピータ（すなわち、ブースタ）が設けられておらず、セル＃２には、リピータ＃２が設けられている。
【００２３】
図３に示すように、無線基地局ｅＮＢは、受信部１１と、送信部１２と、ＴＡタイマ管理部１３と、状態管理部１４とを具備している。
【００２４】
受信部１１は、移動局ＵＥから、搬送波周波数が異なる複数の「Ｃｏｍｐｏｎｅｎｔ  Ｃａｒｒｉｅｒ」におけるＰＵＳＣＨ（Ｐｈｙｓｉｃａｌ  Ｕｐｌｉｎｋ  Ｓｈａｒｅｄ  Ｃｈａｎｅｌ）又はＰＵＳＳＣＨ（Ｐｈｙｓｉｃａｌ  Ｕｐｌｉｎｋ  Ｃｏｎｔｒｏｌ  Ｃｈａｎｅｌ）を用いて送信された上りデータ信号又は上り制御信号を受信するように構成されている。
【００２５】
ＴＡタイマ管理部１３は、ＣＡを行っている各移動局ＵＥで用いられている各ＣＣに対応するＴＡ（Ｔｉｍｉｎｇ  Ａｄｖａｎｄｅ、送信タイミング調整情報）タイマを管理するように構成されている。
【００２６】
ここで、ＴＡタイマ管理部１３は、各ＣＣが同期状態となった際に、各ＣＣに対応するＴＡタイマを起動するように構成されている。
【００２７】
或いは、ＴＡタイマ管理部１３は、各ＣＣに対応するＴＡ（「ＴＡ  Ｃｏｍｍａｎｄ」）を無線基地局ｅＮＢから受信した際に、かかるＣＣに対応するＴＡタイマを起動するように構成されている。
【００２８】
また、ＴＡタイマ管理部１３は、ＣＡを行っている各移動局ＵＥで用いられている各ＣＣに対して適用すべきＴＡの割り当て及び管理を行うように構成されている。
【００２９】
ここで、ＴＡタイマ管理部１３は、ＣＡを行っている各移動局ＵＥ内の同一の受信機（ＩＦＦＴ：Ｉｎｖｅｒｓｅ  Ｆａｓｔ  Ｆｏｕｒｉｅｒ  Ｔｒａｎｓｆｏｒｍ、逆フーリエ変換器）によって処理される複数の「Ｃｏｍｐｏｎｅｎｔ  Ｃａｒｒｉｅｒ」に対して、同一のＴＡを割り当てるように構成されていてもよい。
【００３０】
すなわち、ＴＡタイマ管理部１３は、「ｃｏｎｔｉｇｕｏｕｓ  ＣＡ」のみを行っている移動局ＵＥに対しては、１つのＴＡのみを割り当てるように構成されていてもよい。ここで、「ｃｏｎｔｉｇｕｏｕｓ  ＣＡ」は、１つの受信機（ＩＦＦＴ）によって処理されるＣＡである。
【００３１】
同一の受信機（ＩＦＦＴ）で処理される「Ｃｏｍｐｏｎｅｎｔ  Ｃａｒｒｉｅｒ」では、別々のＴＡを用いると「Ｃｏｍｐｏｎｅｎｔ  Ｃａｒｒｉｅｒ」に跨ったＯＦＤＭサブキャリア間の直交性が保てなくなるため、同一のＴＡを用いる必要がある。従って、上述のような構成となる。
【００３２】
一方、ＴＡタイマ管理部１３は、ＣＡを行っている各移動局ＵＥ内の異なる受信機（ＩＦＦＴ）によって処理される複数の「Ｃｏｍｐｏｎｅｎｔ  Ｃａｒｒｉｅｒ」に対して、異なるＴＡを割り当てるように構成されていてもよい。
【００３３】
すなわち、ＴＡタイマ管理部１３は、「ｎｏｎ-ｃｏｎｔｉｇｕｏｕｓ  ＣＡ」を行っている移動局ＵＥに対しては、「ｎｏｎ-ｃｏｎｔｉｇｕｏｕｓ  ＣＡ」の対象である複数の「Ｃｏｍｐｏｎｅｎｔ  Ｃａｒｒｉｅｒ」の各々に対して独立にＴＡを割り当てるように構成されている。ここで、「ｎｏｎ-ｃｏｎｔｉｇｕｏｕｓ  ＣＡ」は、複数の受信機（ＩＦＦＴ）によって処理されるＣＡである。
【００３４】
また、ＴＡタイマ管理部１３は、無線基地局ｅＮＢによって指示された「Ｃｏｍｐｏｎｅｎｔ  Ｃａｒｒｉｅｒ」のグループ毎に、異なるＴＡを割り当てるように構成されていてもよい。
【００３５】
状態管理部１４は、ＣＡを行っている各移動局ＵＥで用いられている各ＣＣの状態（同期状態或いは非同期状態）を管理するように構成されている。
【００３６】
ここで、状態管理部１４は、ＴＡタイマが満了した「Ｃｏｍｐｏｎｅｎｔ  Ｃａｒｒｉｅｒ」の状態を非同期状態とするように構成されている。
【００３７】
送信部１２は、ＣＡを行っている移動局ＵＥに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＤＳＣＨ（Ｐｈｙｓｉｃａｌ  Ｄｏｗｎｌｉｎｋ  Ｓｈａｒｅｄ  Ｃｈａｎｎｅｌ）を介して、「ＵＬ  ｇｒａｎｔ」や「Ｓｙｎｃ  Ｒｅｑｕｅｓｔ  ＭＡＣ（Ｍｅｄｉａ  Ａｃｃｅｓｓ  Ｃｏｎｔｒｏｌ）  ＣＥ（Ｃｏｎｔｒｏｌ  Ｅｌｅｍｅｎｔ）」等を送信するように構成されている。
【００３８】
また、送信部１２は、ＣＡを行っている移動局ＵＥに対して、複数の「Ｃｏｍｐｏｎｅｎｔ  Ｃａｒｒｉｅｒ」の各々に対して割り当てられているＴＡを送信するように構成されている。
【００３９】
また、送信部１２は、ＣＡを行っている移動局ＵＥに対して、「Ｔｉｍｉｎｇ  Ａｄｖａｎｃｅ  ＭＡＣ  ＣＥ」によって、上述のＴＡを送信するように構成されていてもよい。
【００４０】
かかる「Ｔｉｍｉｎｇ  Ａｄｖａｎｃｅ  ＭＡＣ  ＣＥ」では、適用すべきＴＡの値及びかかるＴＡを適用すべき「Ｃｏｍｐｏｎｅｎｔ  Ｃａｒｒｉｅｒ」又はグループの識別子が指示される。
【００４１】
なお、送信部１２は、ＣＡを行っている移動局ＵＥに対して、「アンカーキャリア（Ａｎｃｈｏｒ  Ｃａｒｒｉｅｒ）」を介して、上述のＴＡを送信するように構成されていてもよい。
【００４２】
ここで、アンカーキャリアとは、複数の「Ｃｏｍｐｏｎｅｎｔ  Ｃａｒｒｉｅｒ」のうち、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号が送信されるキャリアと定義されていてもよいし、ＰＨＩＣＨ（Ｐｈｙｓｉｃａｌ  ＨＡＲＱ  Ｉｎｄｉｃａｔｏｒ  Ｃｈａｎｎｅｌ）信号が送信されるキャリアと定義されていてもよいし、「Ｓｅｍｉ-ｐｅｒｓｉｓｔｅｎｔ  Ｓｃｈｅｄｕｌｉｎｇ」が適用される下り信号が送信されるキャリアと定義されていてもよいし、「Ｓｅｍｉ-ｐｅｒｓｉｓｔｅｎｔ  Ｓｃｈｅｄｕｌｉｎｇ」が適用されるＰＵＳＣＨ信号（上りデータ信号）に対するＰＨＩＣＨ信号が送信されるキャリアと定義されていてもよいし、ページング信号が送信されるキャリアと定義されていてもよいし、ＤＣＣＨ（Ｄｅｄｉｃａｔｅｄ  Ｃｏｎｔｒｏｌ  Ｃｈａｎｎｅｌ）信号が送信されるキャリアと定義されていてもよいし、測定（Ｍｅａｓｕｒｅｍｅｎｔ）が行われるキャリアと定義されていてもよい。或いは、アンカーキャリアの定義は、上述した定義の組み合わせにより定義されていてもよい。
【００４３】
なお、上述のＤＣＣＨ信号には、「Ｍｅａｓｕｒｅｍｅｎｔ  Ｒｅｐｏｒｔ（測定報告）」や、「Ｈａｎｄｏｖｅｒ  Ｃｏｍｍａｎｄ（ハンドオーバ指示信号）」や、「Ｈａｎｄｏｖｅｒ  Ｃｏｍｐｌｅｔｅ（ハンドオーバ完了信号）」が含まれていてもよい。
【００４４】
また、「アンカーキャリア」は、「メインキャリア（Ｍａｉｎ  Ｃａｒｒｉｅｒ）」と呼ばれてもよい。
【００４５】
なお、送信部１２は、ＣＡを行っている移動局ＵＥに対して、アンカーキャリア以外の任意のキャリアを介して、上述のＴＡを送信するように構成されていてもよい。
【００４６】
また、送信部１２は、個別制御信号或いは報知信号によって、上述のＴＡを送信するキャリアを指定するように構成されていてもよい。
【００４７】
図４に示すように、移動局ＵＥは、受信部２１と、送信部２２と、ＴＡタイマ管理部２３と、状態管理部２４とを具備している。
【００４８】
受信部２１は、無線基地局ｅＮＢから、ＰＤＣＣＨやＰＤＳＣＨを介して、「ＵＬ  ｇｒａｎｔ」や「Ｓｙｎｃ  Ｒｅｑｕｅｓｔ  ＭＡＣ  ＣＥ」や「Ｔｉｍｉｎｇ  Ａｄｖａｎｃｅ  ＭＡＣ  ＣＥ」等を受信するように構成されている。
【００４９】
移動局ＵＥが、ＣＡを行っている場合に、ＴＡタイマ管理部２３は、移動局ＵＥで用いられている各ＣＣに対応するＴＡタイマを管理するように構成されている。
【００５０】
ここで、ＴＡタイマ管理部２３は、各ＣＣが同期状態となった際に、各ＣＣに対応するＴＡタイマを起動されるように構成されている。
【００５１】
或いは、ＴＡタイマ管理部２３は、各ＣＣに対応するＴＡ（「ＴＡ  Ｃｏｍｍａｎｄ」）を無線基地局ｅＮＢから受信した際に、かかるＣＣに対応するＴＡタイマを起動するように構成されている。
【００５２】
また、ＴＡタイマ管理部２３は、移動局ＵＥで用いられている各ＣＣに対して適用すべきＴＡの割り当て及びＴＡタイマの管理を行うように構成されている。
【００５３】
移動局ＵＥが、ＣＡを行っている場合に、状態管理部２４は、移動局ＵＥで用いられている各ＣＣの状態（同期状態或いは非同期状態）を管理するように構成されている。
【００５４】
ここで、状態管理部２４は、ＴＡタイマが満了した「Ｃｏｍｐｏｎｅｎｔ  Ｃａｒｒｉｅｒ」の状態を非同期状態とするように構成されている。
【００５５】
移動局ＵＥが、ＣＡを行っている場合に、送信部２２は、無線基地局ｅＮＢに対して、搬送波周波数が異なる複数の「Ｃｏｍｐｏｎｅｎｔ  Ｃａｒｒｉｅｒ」におけるＰＵＳＣＨ又はＰＵＣＣＨを介して上りデータ信号又は上り制御信号を送信するように構成されている。
【００５６】
送信部２２は、複数の「Ｃｏｍｐｏｎｅｎｔ  Ｃａｒｒｉｅｒ」に非同期状態の「Ｃｏｍｐｏｎｅｎｔ  Ｃａｒｒｉｅｒ」が含まれている場合であっても、かかる複数の「Ｃｏｍｐｏｎｅｎｔ  Ｃａｒｒｉｅｒ」に含まれる同期状態の「Ｃｏｍｐｏｎｅｎｔ  Ｃａｒｒｉｅｒ」におけるＰＵＳＣＨ又はＰＵＣＣＨを介して上りデータ信号又は上り制御信号を送信することができるように構成されていてもよい。
【００５７】
また、送信部２２は、「ＵＬ  ｇｒａｎｔ」によって指定されている識別情報「Ｃａｒｒｉｅｒ  Ｉｎｄｉｃａｔｏｒ  Ｆｉｅｌｄ（ＣＩＦ）」によって特定される「Ｃｏｍｐｏｎｅｎｔ  Ｃａｒｒｉｅｒ」が同期状態である場合、かかる「Ｃｏｍｐｏｎｅｎｔ  Ｃａｒｒｉｅｒ」におけるＰＵＳＣＨを介して、上りデータ信号を送信するように構成されていてもよい。
【００５８】
一方、送信部２２は、「ＵＬ  ｇｒａｎｔ」によって指定されている識別情報「Ｃａｒｒｉｅｒ  Ｉｎｄｉｃａｔｏｒ  Ｆｉｅｌｄ（ＣＩＦ）」によって特定される「Ｃｏｍｐｏｎｅｎｔ  Ｃａｒｒｉｅｒ」が非同期状態である場合、かかる「Ｃｏｍｐｏｎｅｎｔ  Ｃａｒｒｉｅｒ」におけるＰＲＡＣＨ（Ｐｈｙｓｉｃａｌ  Ｒａｎｄｏｍ  Ａｃｃｅｓｓ  Ｃｈａｎｎｅｌ）を介して「ＲＡＣＨプリアンブル（ＲＡＣＨ  Ｐｒｅａｍｂｌｅ）」を送信するように構成されていてもよい。
【００５９】
また、送信部２２は、無線基地局ｅＮＢから「Ｓｙｎｃ  Ｒｅｑｕｅｓｔ  ＭＡＣ  ＣＥ」が受信された場合、非同期状態である全ての「Ｃｏｍｐｏｎｅｎｔ  Ｃａｒｒｉｅｒ」におけるＰＲＡＣＨを介して「ＲＡＣＨプリアンブル」を送信するように構成されていてもよい。
【００６０】
或いは、送信部２２は、無線基地局ｅＮＢから受信された「Ｓｙｎｃ  Ｒｅｑｕｅｓｔ  ＭＡＣ  ＣＥ」で指定されている識別情報「Ｃａｒｒｉｅｒ  Ｉｎｄｉｃａｔｏｒ  Ｆｉｅｌｄ（ＣＩＦ）」によって特定される「Ｃｏｍｐｏｎｅｎｔ  Ｃａｒｒｉｅｒ」におけるＰＲＡＣＨを介して「ＲＡＣＨプリアンブル」を送信するように構成されていてもよい。
【００６１】
また、送信部２２は、受信部２１によって受信されたＴＡに基づいて、複数の「Ｃｏｍｐｏｎｅｎｔ  Ｃａｒｒｉｅｒ」の各々における上り信号の送信タイミングを調整するように構成されている。
【００６２】
なお、送信部２２は、移動局ＵＥ内の同一の受信機（ＩＦＦＴ）によって処理される複数の「Ｃｏｍｐｏｎｅｎｔ  Ｃａｒｒｉｅｒ」の各々における上り信号の送信タイミングを同一とするように調整してもよい。
【００６３】
すなわち、移動局ＵＥが、「ｃｏｎｔｉｇｕｏｕｓ  ＣＡ」を行っている場合には、送信部２２は、複数の「Ｃｏｍｐｏｎｅｎｔ  Ｃａｒｒｉｅｒ」の各々における上り信号の送信タイミングを同一とするように調整してもよい。
【００６４】
一方、送信部２２は、移動局ＵＥ内の異なるの受信機（ＩＦＦＴ）によって処理される複数の「Ｃｏｍｐｏｎｅｎｔ  Ｃａｒｒｉｅｒ」の各々における上り信号の送信タイミングを別々に調整してもよい。
【００６５】
すなわち、移動局ＵＥが、「ｎｏｎ-Ｃｏｎｔｉｇｕｏｕｓ  ＣＡ」を行っている場合には、送信部２２は、複数の「Ｃｏｍｐｏｎｅｎｔ  Ｃａｒｒｉｅｒ」の各々における上り信号の送信タイミングを別々に調整してもよい。
【００６６】
また、送信部２２は、無線基地局ｅＮＢによって指示された「Ｃｏｍｐｏｎｅｎｔ  Ｃａｒｒｉｅｒ」のグループ毎に、上り信号の送信タイミングを調整してもよい。
【００６７】
本発明の第１の実施形態に係る移動通信システムによれば、ＣＡを行っている移動局ＵＥで用いられている各ＣＣに対してＴＡを割り当てることができるので、ＣＡが行われている場合であっても、無線基地局ｅＮＢにおける上りデータ信号の受信タイミングを一定範囲内に収めることができる。
【００６８】
また、本発明の第１の実施形態に係る移動通信システムによれば、ＴＡタイマが満了した「Ｃｏｍｐｏｎｅｎｔ  Ｃａｒｒｉｅｒ」については、再度、同期処理を行うことができるので、「Ｃｏｍｐｏｎｅｎｔ  Ｃａｒｒｉｅｒ」毎に、移動局ＵＥと無線基地局ｅＮＢとの間で、正確な同期を取ることができる。
【００６９】
以上に述べた本実施形態の特徴は、以下のように表現されていてもよい。
【００７０】
本実施形態の第１の特徴は、ＣＡを行っている移動局ＵＥが、無線基地局ｅＮＢに対して、搬送波周波数が異なる複数の「Ｃｏｍｐｏｎｅｎｔ  Ｃａｒｒｉｅｒ（例えば、ＣＣ＃１/ＣＣ＃２/ＣＣ＃３/ＣＣ＃１１/ＣＣ＃１２/ＣＣ＃２１/ＣＣ＃３１/ＣＣ＃３２等）」を用いて上りデータ信号を送信するように構成されている移動通信システムであって、複数の「Ｃｏｍｐｏｎｅｎｔ  Ｃａｒｒｉｅｒ」に対応するＴＡタイマを管理するように構成されているＴＡタイマ管理部１３/２３と、複数の「Ｃｏｍｐｏｎｅｎｔ  Ｃａｒｒｉｅｒ」の状態を管理するように構成されている状態管理部１４/２４とを具備し、状態管理部１４/２４は、ＴＡタイマが満了した「Ｃｏｍｐｏｎｅｎｔ  Ｃａｒｒｉｅｒ」の状態を非同期状態とするように構成されていることを要旨とする。
【００７１】
本実施形態の第１の特徴において、ＣＡを行っている移動局ＵＥは、複数の「Ｃｏｍｐｏｎｅｎｔ  Ｃａｒｒｉｅｒ」に非同期状態の「Ｃｏｍｐｏｎｅｎｔ  Ｃａｒｒｉｅｒ」が含まれている場合であっても、かかる複数の「Ｃｏｍｐｏｎｅｎｔ  Ｃａｒｒｉｅｒ」に含まれる同期状態の「Ｃｏｍｐｏｎｅｎｔ  Ｃａｒｒｉｅｒ」を用いて上りデータ信号を送信することができるように構成されていてもよい。
【００７２】
本実施形態の第１の特徴において、ＣＡを行っている移動局ＵＥは、無線基地局ｅＮＢから受信した「ＵＬ  Ｇｒａｎｔ（スケジューリング信号）」又は同期要求信号によって指定された「Ｃｏｍｐｏｎｅｎｔ  Ｃａｒｒｉｅｒ」が非同期状態である場合、かかる「Ｃｏｍｐｏｎｅｎｔ  Ｃａｒｒｉｅｒ」において「ＲＡＣＨプリアンブル（ランダムアクセス信号）」を送信するように構成されていてもよい。
【００７３】
本実施形態の第１の特徴において、ＣＡを行っている移動局ＵＥは、無線基地局ｅＮＢから「Ｓｙｎｃ  Ｒｅｑｕｅｓｔ  ＭＡＣ  ＣＥ（所定信号）」を受信した場合、非同期状態である全ての「Ｃｏｍｐｏｎｅｎｔ  Ｃａｒｒｉｅｒ」において「ＲＡＣＨプリアンブル」を送信するように構成されていてもよい。
【００７４】
本実施形態の第２の特徴は、移動局ＵＥから、異なる周波数帯域の複数の「Ｃｏｍｐｏｎｅｎｔ  Ｃａｒｒｉｅｒ」を用いて上りデータ信号を受信するように構成されている無線基地局ｅＮＢであって、複数の「Ｃｏｍｐｏｎｅｎｔ  Ｃａｒｒｉｅｒ」に対応するＴＡタイマを管理するように構成されているＴＡタイマ管理部１３と、複数の「Ｃｏｍｐｏｎｅｎｔ  Ｃａｒｒｉｅｒ」の状態を管理するように構成されている状態管理部１４とを具備し、状態管理部１４は、ＴＡタイマが満了した「Ｃｏｍｐｏｎｅｎｔ  Ｃａｒｒｉｅｒ」の状態を非同期状態とするように構成されていることを要旨とする。
【００７５】
本実施形態の第３の特徴は、無線基地局ｅＮＢに対して、異なる周波数帯域の複数の「Ｃｏｍｐｏｎｅｎｔ  Ｃａｒｒｉｅｒ」を用いて上りデータ信号を送信するように構成されている移動局ＵＥであって、複数の「Ｃｏｍｐｏｎｅｎｔ  Ｃａｒｒｉｅｒ」に対応するＴＡタイマを管理するように構成されているＴＡタイマ管理部２３と、複数の「Ｃｏｍｐｏｎｅｎｔ  Ｃａｒｒｉｅｒ」の状態を管理するように構成されている状態管理部２４とを具備し、状態管理部２４は、ＴＡタイマが満了した「Ｃｏｍｐｏｎｅｎｔ  Ｃａｒｒｉｅｒ」の状態を非同期状態とするように構成されていることを要旨とする。
【００７６】
本実施形態の第３の特徴において、複数の「Ｃｏｍｐｏｎｅｎｔ  Ｃａｒｒｉｅｒ」に非同期状態の「Ｃｏｍｐｏｎｅｎｔ  Ｃａｒｒｉｅｒ」が含まれている場合であっても、かかる複数の「Ｃｏｍｐｏｎｅｎｔ  Ｃａｒｒｉｅｒ」に含まれる同期状態の「Ｃｏｍｐｏｎｅｎｔ  Ｃａｒｒｉｅｒ」を用いて上りデータ信号を送信することができるように構成されている送信部２２を具備してもよい。
【００７７】
本実施形態の第３の特徴において、無線基地局ｅＮＢから受信した「ＵＬ  Ｇｒａｎｔ」又は同期要求信号によって指定された「Ｃｏｍｐｏｎｅｎｔ  Ｃａｒｒｉｅｒ」が非同期状態である場合、かかる「Ｃｏｍｐｏｎｅｎｔ  Ｃａｒｒｉｅｒ」において「ＲＡＣＨプリアンブル」を送信するように構成されている送信部２２を具備してもよい。
【００７８】
本実施形態の第３の特徴において、無線基地局ｅＮＢから「Ｓｙｎｃ  Ｒｅｑｕｅｓｔ  ＭＡＣ  ＣＥ」が受信された場合、非同期状態である全ての「Ｃｏｍｐｏｎｅｎｔ  Ｃａｒｒｉｅｒ」において「ＲＡＣＨプリアンブル」を送信するように構成されている送信部２２を具備してもよい。
【００７９】
本実施形態の第４の特徴として、１以上の「Ｃｏｍｐｏｎｅｎｔ  Ｃａｒｒｉｅｒ」からなるグループを設定し、グループ毎に異なるＴＡタイマを設定してもよい。
【００８０】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００８１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2011083865.tif 000003
【図２】
2011083865.tif 000004
【図３】
2011083865.tif 000005
【図４】
2011083865.tif 000006
【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
移動局が、無線基地局に対して、搬送波周波数が異なる複数のキャリアを用いて上り信号を送信するように構成されている移動通信システムであって、
前記複数のキャリアの各々に対応するタイマを管理するように構成されているタイマ管理部と、
前記複数のキャリアの各々の状態を管理するように構成されている状態管理部とを具備し、
前記状態管理部は、前記タイマが満了したキャリアの状態を非同期状態とするように構成されており、
前記移動局は、前記無線基地局から受信したスケジューリング信号又は同期要求信号によって指定されたキャリアが非同期状態である場合、該キャリアにおいてランダムアクセス信号を送信するように構成されていることを特徴とする移動通信システム。
【請求項２】
移動局から、搬送波周波数が異なる複数のキャリアを用いて上り信号を受信するように構成されている無線基地局であって、
前記複数のキャリアの各々に対応するタイマを管理するように構成されているタイマ管理部と、
前記複数のキャリアの各々の状態を管理するように構成されている状態管理部とを具備し、
前記状態管理部は、前記タイマが満了したキャリアの状態を非同期状態とするように構成されており、
前記タイマが満了したキャリアが非同期状態である場合、前記移動局が該キャリアにおいてランダムアクセス信号を送信するために、キャリアを指定するスケジューリング信号又は同期要求信号を送信することを特徴とする無線基地局。
【請求項３】
無線基地局に対して、搬送波周波数が異なる複数のキャリアを用いて上り信号を送信するように構成されている移動局であって、
前記複数のキャリアの各々に対応するタイマを管理するように構成されているタイマ管理部と、
前記複数のキャリアの各々の状態を管理するように構成されている状態管理部とを具備し、
前記状態管理部は、前記タイマが満了したキャリアの状態を非同期状態とするように構成されており、
前記無線基地局から受信したスケジューリング信号又は同期要求信号によって指定されたキャリアが非同期状態である場合、該キャリアにおいてランダムアクセス信号を送信するように構成されている送信部を具備することを特徴とする移動局。
【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
移動局が、無線基地局に対して、搬送波周波数が異なる複数のキャリアを用いて上り信号を送信するように構成されている移動通信システムであって、
前記複数のキャリアの各々に対応するＴＡ（Ｔｉｍｉｎｇ  Ａｄｖａｎｃｅ）タイマを管理するように構成されているタイマ管理部と、
前記複数のキャリアの各々の状態を管理するように構成されている状態管理部とを具備し、
前記状態管理部は、前記ＴＡタイマが満了したキャリアの状態を非同期状態とするように構成されており、
前記移動局は、前記無線基地局から受信したスケジューリング信号又は同期要求信号によって指定されたキャリアが非同期状態である場合、該キャリアにおいてランダムアクセス信号を送信するように構成されていることを特徴とする移動通信システム。
【請求項２】
移動局から、搬送波周波数が異なる複数のキャリアを用いて上り信号を受信するように構成されている無線基地局であって、
前記複数のキャリアの各々に対応するＴＡ（Ｔｉｍｉｎｇ  Ａｄｖａｎｃｅ）タイマを管理するように構成されているタイマ管理部と、
前記複数のキャリアの各々の状態を管理するように構成されている状態管理部とを具備し、
前記状態管理部は、前記ＴＡタイマが満了したキャリアの状態を非同期状態とするように構成されており、
前記ＴＡタイマが満了したキャリアが非同期状態である場合、前記移動局が該キャリアにおいてランダムアクセス信号を送信するために、キャリアを指定するスケジューリング信号又は同期要求信号を送信することを特徴とする無線基地局。
【請求項３】
無線基地局に対して、搬送波周波数が異なる複数のキャリアを用いて上り信号を送信するように構成されている移動局であって、
前記複数のキャリアの各々に対応するＴＡ（Ｔｉｍｉｎｇ  Ａｄｖａｎｃｅ）タイマを管理するように構成されているタイマ管理部と、
前記複数のキャリアの各々の状態を管理するように構成されている状態管理部とを具備し、
前記状態管理部は、前記ＴＡタイマが満了したキャリアの状態を非同期状態とするように構成されており、
前記無線基地局から受信したスケジューリング信号又は同期要求信号によって指定されたキャリアが非同期状態である場合、該キャリアにおいてランダムアクセス信号を送信するように構成されている送信部を具備することを特徴とする移動局。
【国際調査報告】
2011083865.tif 000007
2011083865.tif 000008
2011083865.tif 000009
2011083865.tif 000010